(57)【要約】【課題】本体部の上に操作部を備える情報処理装置において、オペレータの意図しない操作を排除可能にする。【解決手段】情報処理装置は、箱型の筐体と、蓋部と、操作部と、スイーベル部と、受付停止部と、を備える。蓋部は、前記筐体の上面の少なくとも一部を開閉するものである。操作部は、前記蓋部の開閉動作の動線上にあり、操作指示を受け付ける。スイーベル部は、前記筐体と前記操作部との間に位置して前記筐体と前記操作部とを連結するものであって、前記操作部を前記筐体に対してスイーベル方向に回動自在に支持する。受付停止部は、前記スイーベル部による前記操作部の回動が所定の閾値を超えて行われると、前記操作部による操作指示の受け付けを停止する。【選択図】図８
2019021249.tif 000002
【特許請求の範囲】
【請求項１】
箱型の筐体と、
前記筐体の上面の少なくとも一部を開閉する蓋部と、
前記蓋部の開閉動作の動線上にあり、操作指示を受け付ける操作部と、
前記筐体と前記操作部との間に位置して前記筐体と前記操作部とを連結するものであって、前記操作部を前記筐体に対してスイーベル方向に回動自在に支持するスイーベル部と、
前記スイーベル部による前記操作部の回動が所定の閾値を超えて行われると、前記操作部による操作指示の受け付けを停止する受付停止部と、
を備える情報処理装置。
【請求項２】
前記蓋部の動線上から前記操作部が除かれる程度に前記スイーベル部による回動が行われたことを検知するための検知部をさらに備え、
前記受付停止部は、前記検知部により、前記蓋部の動線上から前記操作部が除かれる程度に前記スイーベル部による回動が行われたことが検知されたことを受けて、前記操作部による指示の受け付けを停止する
ことを特徴とする請求項１に記載の情報処理装置。
【請求項３】
前記筐体は、用紙に印字する印字部と、当該印字部に給紙する用紙を収納し前記蓋部で開閉される用紙収納部とを内蔵し、前記用紙を排出する排紙口を有する
ことを特徴とする請求項１または２に記載の情報処理装置。
【請求項４】
前記受付停止部の有効／無効を切り替える切替部をさらに備える
ことを特徴とする請求項１〜３のいずれか１つに記載の情報処理装置。
【請求項５】
前記蓋部の開閉を要する事象の発生があった場合に前記受付停止部を有効にし、それ以外の場合に前記受付停止部を無効にする自動切替部をさらに備える
ことを特徴とする請求項１〜４のいずれか１つに記載の情報処理装置。
【発明の詳細な説明】
【技術分野】
【０００１】
本発明の実施形態は、情報処理装置に関する。
【背景技術】
【０００２】
操作部を十分な大きさとしながら小型化や省スペース化を実現するために、プリンタ等を備える本体部の上に操作部を配置した情報処理装置がある。このような情報処理装置において、プリンタで用いる用紙の補充や交換等のために、本体部の筐体が上面を開閉可能に構成されている場合、操作部は本体部に対してスイーベル可能に構成され、筐体の開閉に際しては、操作部は、開閉動作を妨げない位置に退避される。
【０００３】
上述のような情報処理装置において、筐体が開閉されるにあたって操作部がスイーベルされているとき、オペレータが誤って操作部に触れてしまうことがある。この場合、操作部は、オペレータの意図しない操作を受け付けてしまい、不都合である。
【発明の概要】
【発明が解決しようとする課題】
【０００４】
本発明が解決しようとする課題は、本体部の上に操作部を備える情報処理装置において、オペレータの意図しない操作を排除可能にすることである。
【課題を解決するための手段】
【０００５】
実施形態の情報処理装置は、箱型の筐体と、蓋部と、操作部と、スイーベル部と、受付停止部と、を備える。蓋部は、前記筐体の上面の少なくとも一部を開閉するものである。操作部は、前記蓋部の開閉動作の動線上にあり、操作指示を受け付ける。スイーベル部は、前記筐体と前記操作部との間に位置して前記筐体と前記操作部とを連結するものであって、前記操作部を前記筐体に対してスイーベル方向に回動自在に支持する。受付停止部は、前記スイーベル部による前記操作部の回動が所定の閾値を超えて行われると、前記操作部による操作指示の受け付けを停止する。
【図面の簡単な説明】
【０００６】
【図１】図１は、実施形態のラベルプリンタの外観を示す斜視図である。
【図２】図２は、上カバーおよび前カバーが開放された状態のラベルプリンタの斜視図である。
【図３】図３は、上カバーおよび前カバーが閉じられていて、表示操作部がスイーベルされた状態を示すラベルプリンタの斜視図である。
【図４】図４は、ラベルプリンタの概略平面図である。
【図５】図５は、スイーベル部およびその周囲の外観斜視図である。
【図６】図６は、ラベルプリンタが内蔵する各部の電気的接続を示すブロック図である。
【図７】図７は、制御部が実現する機能部を示すブロック図である。
【図８】図８は、ＣＰＵ１０が実行する処理の流れを概略的に示すフローチャートである。
【発明を実施するための形態】
【０００７】
実施形態について図面を用いて説明する。図１は、ラベルプリンタ１の外観を示す斜視図である。ラベルプリンタ１は、情報処理装置の一例である。ラベルプリンタ１は、本体部１００と、表示操作部２００とを備える。
【０００８】
表示操作部２００は、表示部２１０および操作部２２０を備えている。表示部２１０は、例えばＬＣＤ（Liquid  Crystal  Display）であって、画像や文字で操作者に情報を示す。操作部２２０は、キーボード２２１およびタッチパネル２２２を備えている。タッチパネル２２２は、表示部２１０の表面に重ねて設けられていて、表示部２１０の表示内容に応じた操作を受け付ける。キーボード２２１は、複数の押しボタン（キー）を備えている。
【０００９】
本体部１００は、筐体１１０、用紙収納部１２０、印字部１３０、台紙巻取部１４０、制御部１５０等を備えている。制御部１５０は、各部（印字部１３０、台紙巻取部１４０、表示操作部２００）を制御するものであって、基板等で構成されている。
【００１０】
筐体１１０は、ほぼ直方体の箱状の容器であって、上述の各部（用紙収納部１２０、印字部１３０、台紙巻取部１４０、制御部１５０等）を収納する。筐体１１０は、ベース部１１１、上カバー１１２、および前カバー１１３を備えている。
【００１１】
図２は、上カバー１１２および前カバー１１３が開放された状態のラベルプリンタ１の斜視図である。ベース部１１１は、筐体１１０を構成するもののうち、上カバー１１２および前カバー１１３以外の部分である。ベース部１１１は、平面視において左右に二分されていて、片側（本実施形態では右側部分）がもう片側（左側部分）よりも大きい。ベース部１１１の左側部分と右側部分とは、壁１１４で隔てられている。
【００１２】
上カバー１１２は、蓋部の一例であって、筐体１１０の上面を部分的に開閉する。上カバー１１２は、筐体１１０の壁１１４で分けられた片側（本実施形態では右側部分）の上面を構成する。上カバー１１２は、概ね長方形状の外形を有し、奥側の短辺を、ベース部１１１の右側部分の背面側の上端部に、回動自在に取り付けられている。上カバー１１２の回動の中心となる軸を回動軸１１２ａとして図に示す。上カバー１１２は、回動に伴って、筐体１１０を開放する位置（開放位置）と閉塞する位置（閉塞位置）との間で移動する。筐体１１０は、上カバー１１２の回動に伴って、開閉される。
【００１３】
前カバー１１３は、筐体１１０の壁１１４で分けられた片側（本実施形態では右側部分）の前面を構成する。つまり、前カバー１１３は、筐体１１０の前面を部分的に開閉する扉である。前カバー１１３は、概ね正方形状の外形を有し、下辺を、ベース部１１１の右側部分の手前側の下端部に、回動自在に取り付けられている。前カバー１１３の回動の中心となる軸を回動軸１１３ａとして図に示す。前カバー１１３は、回動に伴って、筐体１１０を開放する位置（開放位置）と閉塞する位置（閉塞位置）との間で移動する。筐体１１０は、前カバー１１３の回動に伴って、開閉される。
【００１４】
用紙収納部１２０や印字部１３０、台紙巻取部１４０は、筐体１１０の上カバー１１２で開閉される側（本実施形態では右側部分）に設けられている。制御部１５０は、上カバー１１２や前カバー１１３を開けても開放されない、壁１１４で隔てられた側（本実施形態では左側部分）に収納されている。
【００１５】
用紙収納部１２０は、ロール紙を収納する。用紙収納部１２０は、ロール紙の巻き中心に通す軸１２１と、ロール紙の両側端を押さえる一対の側板１２２と、を備えている。
【００１６】
ロール紙は、用紙を巻いたものである。用紙は、例えば、ラベルロールや台紙なしラベル、レシート用紙などである。ラベルロールは、帯状の台紙にラベルが並べて貼付されたものである。ラベルは、所定サイズの紙片の片面が印字面であって、印字面の裏面に粘着剤層が設けられたものである。台紙なしラベルは、帯状のラベルが台紙なしで巻かれたものである。レシート用紙は、帯状の用紙である。
【００１７】
印字部１３０は、用紙収納部１２０から給紙された用紙に印字する。印字部１３０は、印字ヘッド１３１およびプラテンローラ１３２を備えている。印字ヘッド１３１は例えばサーマルヘッドであって、感熱紙の印字面が備える発色剤を発色させる熱を発する。プラテンローラ１３２は、表層部に弾性を有するローラであって、印字ヘッド１３１に用紙（ラベルやレシート用紙）を押し当てながら回転して用紙を搬送する。印字ヘッド１３１は、上カバー１１２の内側面に取り付けられている。プラテンローラ１３２は、ベース部１１１に設けられている。
【００１８】
印字部１３０が印字した用紙は、筐体１１０の前面に設けられた発行口１１５（図１参照）から排出される。発行口１１５は、上カバー１１２および前カバー１１３がともに筐体１１０を閉じる位置にあるときに、上カバー１１２の移動端と前カバー１１３の移動端との間に、形成される。前カバー１１３は、上端部の中央部に、両側端部よりも一段下げられた凹部１１３ｂを有している。この凹部１１３ｂと、上カバー１１２の前端部１１２ｂとにより、発行口１１５は形成される。
【００１９】
台紙巻取部１４０は、用紙収納部１２０がラベルロールを収納している場合に、ラベルが剥離された後の台紙を巻き取る。台紙巻取部１４０は、台紙の先端部を保持して巻き中心となる巻取軸１４１と、台紙の側端を規制する側板１４２と、を備えている。
【００２０】
台紙巻取部１４０は、前カバー１１３の内側の面に取り付けられていて、前カバー１１３の開放に伴って筐体１１０の外に出てくる。前カバー１１３が閉じられている状態では、印字部１３０の下側に位置する。
【００２１】
ここで、ラベルプリンタ１は、スイーベル部３００をさらに備えている。表示操作部２００は、向かって左側の下端部を、スイーベル部３００によって、本体部１００の左側部分の上面に、連結されている。スイーベル部３００は、表示操作部２００を、スイーベル方向に回動自在に、支持している。ここで、スイーベルは、鉛直方向に略沿った回動軸周りの回動である。スイーベル部３００は、回動軸３１０（図５参照）を備えている。
【００２２】
図３は、上カバー１１２および前カバー１１３が閉じられていて、表示操作部２００がスイーベルされた状態を示すラベルプリンタ１の斜視図である。図４は、ラベルプリンタ１の概略平面図である。表示操作部２００は、図１に示すような向きの操作受付状態であると、上カバー１１２の上方に位置するので、上カバー１１２を開放することができない。そこで、上カバー１１２を開放するためには、表示操作部２００が上カバー１１２の移動を妨げない位置へ移動（スイーベル）されて、図３に示す状態になる必要がある。このときのスイーベル方向は、矢印Ａ（図４参照）の方向である。
【００２３】
図５は、スイーベル部３００およびその周囲の外観斜視図である。なお、この図は、ともに表示した３軸で表されるように、背面側右側方から見た状態である。
【００２４】
スイーベル部３００は、回動軸３１０周りに回動する部材として、支持部３２０および遮光板３３０を備え、さらに、光センサ３４０を備えている。支持部３２０は、表示操作部２００の背面２０１に取り付けられた一対の腕部２０２，２０３を、チルト方向に回動可能に、支持する。
【００２５】
光センサ３４０は、検知部の一例であり、本体部１００側に固定的に設けられていて、スイーベル（回動軸３１０周りの回動）をしない。光センサ３４０は、発光部３４１および受光部３４２を備えていて、発光部３４１と受光部３４２との間に所定間隔の隙間（スリット）３４３を有している。発光部３４１および受光部３４２は、発光部３４１が発する光を受光部３４２が受けられるよう配置されていて、受光部３４２が光をとらえていれば、スリット３４３に物体がないと判断でき、受光部３４２が光をとらえなければ、スリット３４３に物体が存在していると判断できる。
制御部１５０は、光センサ３４０の出力を受け取る。
【００２６】
遮光板３３０は、表示操作部２００のスイーベルに伴って回動する。つまり、遮光板３３０は、表示操作部２００に連れ回りする。遮光板３３０は、腕部３３１と屈曲部３３２とを有する。腕部３３１は、スイーベルの回動軸３１０から、回動軸３１０に直交する方向に伸びた部分である。屈曲部３３２は、腕部３３１の先端部（回動軸３１０から離れた側）に設けられていて、回動に伴って、光センサ３４０が備えるスリット３４３を出入りする。
【００２７】
ラベルプリンタ１の使用状態、つまり表示操作部２００が正面を向いた状態では、スリット３４３内に屈曲部３３２が存在する状態、つまり、光センサ３４０に遮光板３３０が検知されている状態になる。この状態から、遮光板３３０が所定の閾値（例えば平面視での角度として５°程度）を超えて回動されると、スリット３４３から屈曲部３３２が脱して、光センサ３４０に遮光板３３０が検知されなくなる。
制御部１５０は、光センサ３４０が遮光板３３０を検知しなくなったことを受けて、操作部２２０による操作の受け付けを、停止する。つまり、操作部２２０への操作が無効となる。
【００２８】
次に、図６は、ラベルプリンタ１が内蔵する各部の電気的接続を示すブロック図である。ラベルプリンタ１は、ＣＰＵ（Central  Processing  Unit）１０、ＲＯＭ（Read  Only  Memory）１１、ＲＡＭ（Random  Access  Memory）１２、システムバス１３、Ｉ／Ｏポート１４、印字部コントローラ１６、表示部コントローラ１７、タッチパネルコントローラ１８およびキーボードコントローラ１９を、さらに備えている。
【００２９】
システムバス１３は、ＣＰＵ１０と、上記各部（ＲＯＭ１１、ＲＡＭ１２、Ｉ／Ｏポート１４、印字部コントローラ１６、表示部コントローラ１７、タッチパネルコントローラ１８およびキーボードコントローラ１９）とを、接続する。
【００３０】
ＣＰＵ１０、ＲＯＭ１１、ＲＡＭ１２は、制御部１５０を構成する。ＣＰＵ１０は、各種演算処理等を実行して各部を集中的に制御する。ＲＯＭ１１は、例えばＦｌａｓｈＲＯＭなどであって、固定データを格納する。ＲＡＭ１２は、可変データを書換え自在に格納し、ワークエリア等として利用される。また、ＲＯＭ１１には、制御プログラム、所定のラベルフォーマットや後述する各種のファイルが、格納されている。
【００３１】
ＣＰＵ１０は、プログラムを実行することにより、受付停止部１５１、切替部１５２、および自動切替部１５３の一例として、機能する。図７は、制御部１５０が実現する機能部を示すブロック図である。
【００３２】
受付停止部１５１は、誤操作防止機能を実現する機能部であって、表示操作部２００が所定の閾値を超えてスイーベルされると、操作部２２０による操作指示の受け付けを停止する。
【００３３】
切替部１５２は、受付停止部１５１の有効／無効を切り替える。つまり、切替部１５２により受付停止部１５１が「有効」に設定されている場合に、受付停止部１５１は誤操作防止機能を発揮し、切替部１５２により受付停止部１５１が「無効」に設定されている場合には、受付停止部１５１は機能しない。
【００３４】
自動切替部１５３は、上カバー１１２の開閉を要する所定の事象の発生があった場合に、受付停止部１５１を有効にし、それ以外の場合には、受付停止部１５１を無効にする。本実施形態では、上述の所定の事象を、エラー発生としている。エラーとしては、例えば、印字部１３０の紙詰まりや用紙収納部１２０の紙切れによる用紙補充などである。
【００３５】
なお、ラベルプリンタ１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００３６】
また、ラベルプリンタ１で実行される制御プログラムを、インターネット等のネットワークに接続されたコンピュータ上に格納し、ネットワーク経由でダウンロードさせることにより提供するように構成しても良い。また、ラベルプリンタ１で実行される制御プログラムをインターネット等のネットワーク経由で提供または配布するように構成しても良い。
【００３７】
Ｉ／Ｏポート１４は、光センサ３４０とＣＰＵ１０との連絡を仲介する。印字部コントローラ１６は、印字部１３０を駆動制御する。表示部コントローラ１７は、表示部２１０を駆動制御する。タッチパネルコントローラ１８は、タッチパネル２２２を駆動制御する。キーボードコントローラ１９は、キーボード２２１を駆動制御する。
【００３８】
ＣＰＵ１０は、ＲＡＭ１２として設けられた画像メモリを利用しつつ、ＲＯＭ１１に記憶されていたり画像メモリで合成されたりする画像情報に基づいて表示部コントローラ１７を駆動制御する。これにより、表示部２１０がマトリクス状に備える多数個の液晶シャッタが選択的に開閉駆動され、表示部２１０に画像情報に基づく画像が表示出力されることになる。
【００３９】
さらに、ＣＰＵ１０は、タッチパネルコントローラ１８を駆動制御し、操作者によりタッチされたタッチパネル２２２上のＸＹ座標の位置を認識して座標データを取得する。これにより、表示部２１０に表示されるボタン等とタッチパネル２２２の座標との位置関係の同期をとることによって、タッチパネル２２２と表示部２１０との組合せは、キーボード２２１と同様の機能を奏することになる。
【００４０】
図８は、ＣＰＵ１０が実行する処理の流れを概略的に示すフローチャートである。まずＣＰＵ１０は、光センサ３４０の出力の変化を待機する（ステップＳ１のＮｏ）。ステップＳ１において、表示操作部２００が所定の閾値を超えて回動され、それによる遮光板３３０の移動を光センサ３４０が検知すると（ステップＳ１のＹｅｓ）、ＣＰＵ１０は、切替部１５２として、誤操作防止機能が有効であるか判断する（ステップＳ２）。誤操作防止機能が無効のとき（ステップＳ２のＮｏ）、ＣＰＵ１０は、処理を終了する。
【００４１】
ステップＳ２において、誤操作防止機能が有効のとき（ステップＳ２のＹｅｓ）、ＣＰＵ１０は、自動切替部１５３として、エラー時に限らないとされているか判断する（ステップＳ３）。ステップＳ３において、エラー時に限らないとされている場合（ステップＳ３のＹｅｓ）、ＣＰＵ１０は、受付停止部１５１として、操作を無効にする、つまり、操作部２２０による操作の受け付けを停止する（ステップＳ４）。
【００４２】
ステップＳ３において、エラー時に限るとされている場合（ステップＳ３のＮｏ）、ＣＰＵ１０は、エラーの有無を確認し（ステップＳ５）、エラーがあった場合に（ステップＳ５のＹｅｓ）、処理をステップＳ４へ進め、操作を無効にする。また、ステップＳ５において、エラーが無い場合には（ステップＳ５のＮｏ）、ＣＰＵ１０は、処理を終了する。
【００４３】
次に、ＣＰＵ１０は、表示操作部２００がラベルプリンタ１の使用状態（つまり正面を向いた状態）に戻るのを待機し（ステップＳ６のＮｏ）、戻ると（ステップＳ６のＹｅｓ）、操作を有効にする、つまり、操作部２２０による操作指示の受け付けを再開し（ステップＳ７）、処理を終了する。
【００４４】
このように、本実施形態によれば、表示操作部２００がある程度以上スイーベルされているとき、表示操作部２００への操作を無効にすることができる。これにより、意図しない操作が受け付けられることによる誤動作を、防止することができる。
【００４５】
本実施形態のように、表示操作部２００が本体部１００の上カバー１１２の動線上に位置して用いられるようなラベルプリンタ１の場合、本体部１００内部に関わるメンテナンス等の作業を要する事態が発生すると、上カバー１１２を開放するが、その際、表示操作部２００をスイーベル等により移動させることになる。この表示操作部２００の移動を検知し、検知結果に基づいて表示操作部２００に対する制御を適切に行うことにより、課題を解決することができる。
【００４６】
なお、上述の実施形態では、本体部１００の上面に表示操作部２００が連結されていて、表示操作部２００がスイーベルされると操作無効になるとしたが、実施にあたっては、表示操作部２００の本体部１００に対する向きが変更されたときに操作無効となるのであれば、他の構造であってもよい。つまり、表示操作部２００の本体部１００に対する移動の仕方はスイーベルに限らない。例えば、表示操作部２００は、本体部１００の上でなく前に連結されていてもよい。また、例えば、表示操作部２００は、本体部１００に対してチルト方向に回動自在であってもよい。より具体的な例を述べると、例えば筐体１１０の前面が開閉自在で、表示操作部２００が前面に連結されていて、開閉の際、干渉しない位置へチルトされ、これに伴い、操作無効とする。
【００４７】
また、本実施形態では、操作部２２０は、表示部２１０と一体であったが、実施にあたっては、表示部２１０は別体であってもよい。
【００４８】
さらに、本実施形態では、ラベルプリンタ１を情報処理装置の一例として説明したが、実施にあたってはこれに限らず、例えば、ＰＯＳ端末装置として用いられる装置に、本実施形態が適用されてもよい。この場合、上カバー１１２の開閉は、例えば、レシートプリンタ用紙の補充や交換、レシートプリンタのジャム対応、紙幣や硬貨の回収、補充、詰まり対応、などのために行われる。
【００４９】
また、本実施形態では、ラベルプリンタ１は、受付停止部１５１、切替部１５２、および自動切替部１５３を全て備えているが、実施にあたっては、切替部１５２や自動切替部１５３は必須ではなく、必要に応じて設けられるものであってよい。
【００５０】
さらに、本実施形態では、光センサ３４０を検知部の一例として説明したが、実施にあたっては、検知部は、スリットセンサやメカスイッチ、ロータリエンコーダなど、他のものを用いた構成で実現されていてもよい。
【００５１】
本実施形態のラベルプリンタ１で実行されるプログラムは、ＲＯＭ等に予め組み込まれて提供される。
本実施形態のラベルプリンタ１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
さらに、本実施形態のラベルプリンタ１で実行されるプログラムを、インターネット等のネットワークに接続されたコンピュータ上に格納し、ネットワーク経由でダウンロードさせることにより提供するように構成しても良い。また、本実施形態のラベルプリンタ１で実行されるプログラムをインターネット等のネットワーク経由で提供または配布するように構成しても良い。
本実施形態のラベルプリンタ１で実行されるプログラムは、上述した各部（受付停止部１５１、切替部１５２、および自動切替部１５３）を含むモジュール構成となっている。ＣＰＵ（プロセッサ）は、上記記憶媒体からプログラムを読み出して実行することにより、上記各部を主記憶装置上にロードする。これにより、受付停止部１５１、切替部１５２、および自動切替部１５３が、主記憶装置上に生成される。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１    …ラベルプリンタ
１００…本体部
１１０…筐体
１１１…ベース部
１１２…上カバー、１１２ａ…回動軸、１１２ｂ…前端部
１１３…前カバー、１１３ａ…回動軸、１１３ｂ…凹部
１１４…壁
１１５…発行口
１２０…用紙収納部、１２１…軸、１２２…側板
１３０…印字部、１３１…印字ヘッド、１３２…プラテンローラ
１４０…台紙巻取部、１４１…巻取軸、１４２…側板
１５０…制御部、１５１…受付停止部、１５２…切替部、１５３…自動切替部
１０  …ＣＰＵ、１１…ＲＯＭ、１２…ＲＡＭ、１３…システムバス
１４  …Ｉ／Ｏポート、１６…印字部コントローラ
１７  …表示部コントローラ、１８…タッチパネルコントローラ
１９  …キーボードコントローラ
２００…表示操作部、２０１…背面、２０２，２０３…腕部
２１０…表示部
２２０…操作部、２２１…キーボード、２２２…タッチパネル
３００…スイーベル部
３１０…回動軸
３２０…支持部
３３０…遮光板、３３１…腕部、３３２…屈曲部
３４０…光センサ（検知部）、３４１…発光部、３４２…受光部、３４３…スリット
【先行技術文献】
【特許文献】
【００５４】
【特許文献１】特開２００７−１３０９６７号公報
【図１】
2019021249.tif 000003
【図２】
2019021249.tif 000004
【図３】
2019021249.tif 000005
【図４】
2019021249.tif 000006
【図５】
2019021249.tif 000007
【図６】
2019021249.tif 000008
【図７】
2019021249.tif 000009
【図８】
2019021249.tif 000010